【手続補正書】
【提出日】平成16年1月8日(2004.1.8)
【手続補正１】
【補正対象書類名】特許請求の範囲
【補正対象項目名】全文
【補正方法】変更
【補正の内容】
【特許請求の範囲】
【請求項１】
少なくとも一つの酸捕捉剤化合物および式（Ｉ）：
【化１】
2004524417.tif 000001
［式中、Ｍ１およびＭ２は、それぞれナトリウムおよび水素よりなる群から選ばれ、ここでＭ１およびＭ２のうち少なくとも一つはナトリウムであり、Ｒ１、Ｒ２、Ｒ３、Ｒ４、Ｒ５、Ｒ６、Ｒ７、Ｒ８、Ｒ９、およびＲ１０は、それぞれ水素、Ｃ１−Ｃ９アルキル、水酸基、Ｃ１−Ｃ９アルコキシ、Ｃ１−Ｃ９アルキレンオキシ、アミン、Ｃ１−Ｃ９アルキルアミン、ハロゲン、およびフェニルよりなる群から選択される；ここで、これらの基がアルキル基である場合、任意に２つ隣接しまたはジェミナルなアルキル基が結合して炭素原子数６個までの炭素環を形成してよい；ここで、酸捕捉剤は、式（Ｉ）の構造に従う少なくとも一つ以外の化合物である。］
の構造に従う少なくとも一つの金属塩を含んでなる組成物。
【請求項２】
Ｒ１、Ｒ２、Ｒ３、Ｒ４、Ｒ５、Ｒ６、Ｒ７、Ｒ８、Ｒ９、およびＲ１０がそれぞれ水素であり、酸捕捉剤がカルボン酸塩、ジヒドロタルサイト、およびこれらの任意の混合物よりなる群から選ばれる少なくとも一つの化合物である請求項１に記載の組成物。
【請求項３】
酸捕捉剤が少なくとも一つのＣ１２−Ｃ２４カルボン酸塩である請求項２に記載の組成物。
【請求項４】
カルボン酸塩がナトリウム、リチウム、カルシウム、および亜鉛よりなる群から選ばれる請求項３に記載の組成物。
【請求項５】
塩がステアリン酸カルシウムである請求項４に記載の組成物。
【請求項６】
化合物がヘキサヒドロフタル酸シス−２ナトリウムである請求項１に記載の組成物。
【請求項７】
請求項１〜６のいずれかに記載の組成物を含んでなる熱可塑性樹脂製品。
【請求項８】
請求項１〜６のいずれかに記載された組成物を少なくとも一つ含んでなるポリマー添加剤処方であって、添加剤組成物が粉末、ペレット、または液体よりなる群から選ばれる形態で存在し、該組成物が少なくとも一つの熱可塑性ポリマー、および、場合により、可塑剤、酸捕捉剤、酸化防止剤、抗菌剤、難燃剤、光安定剤、帯電防止剤、発泡剤、有色顔料、およびこれらの任意の組み合わせよりなる群から選ばれる少なくとも一つの化合物を更に含むポリマー添加剤処方。
【手続補正２】
【補正対象書類名】明細書
【補正対象項目名】００１５
【補正方法】変更
【補正の内容】
【００１５】
前記したように、工業的用途のための酸捕捉剤を含有する適切なポリオレフィン核剤組成物を開発するために、多数の重要な基準を満たすことが必要とされる。本発明によるナトリウムＨＨＰＡ塩と酸捕捉剤を含有する組成物は、これらの重要な要求の全てを非常によく満足している。例えば、前記したように、シス−２ナトリウムＨＨＰＡ塩は容易く水和することがなく、その結果この塩の粒状または粉状の配合物は、凝集したり一緒に塊状になったりしない。ポリオレフィン製造機中に導入した際に凝集したパウダーを分離する必要がほとんどないため、このような保存安定性から得られる費用便益は明らかである。更に、以下により詳しく述べるように、本発明によるナトリウムＨＨＰＡ塩（立体化学におけるトランス−、シス−のいずれであっても）は、様々なポリオレフィン配合物、特に、ポリプロピレンランダム共重合体（以下、ＲＣＰという）およびポリプロピレンホモポリマー（以下、ＨＰという）、において卓越して高いピーク結晶化温度を与える。更に、このような本発明の組成物は、酸捕捉剤（とりわけ有機カルシウム塩）と組み合わせた際に、対象製品中で顕著な結晶の均一性を与え、その結果、付加的なフィラーや剛性付与剤を必要とすることなく、ポリオレフィン最終製品の全般に高い剛性特性を与える。
これら夫々の基準において、ナトリウムＨＨＰＡ塩の重要な特性は、容易く入手可能で非常に安価であり、従って核形成によるポリオレフィン組成物および製品における利用にとって最も好ましい酸捕捉剤である有機カルシウム塩酸捕捉剤の存在下で、有害な反応がないことである。かかる発明性ある組成物にとって望ましい特性のこのような混合は、このように高度に予想外で予測不可能なことである。このようなナトリウム（とりわけ、２ナトリウム）ＨＨＰＡ塩は、特に酸捕捉剤の存在下で、このように優れた核生成能力を工業規模のポリオレフィンに与える。
【手続補正３】
【補正対象書類名】明細書
【補正対象項目名】００１７
【補正方法】変更
【補正の内容】
【００１７】
ポリオレフィンまたはポリオレフィン樹脂の用語は、少なくとも一つのポリオレフィン化合物を含む任意の材料を包含するよう意図される。好ましい例には、イソタクト型およびシンジオタクト型のポリプロピレン、ポリエチレン、ポリ(4-メチル)ペンテン、ポリブチレン、およびそれらの任意のブレンドまたはコポリマーが含まれ、組成物中の濃度が高いもの或いは低いものであってよい。本発明のポリオレフィンポリマーは、脂肪族ポリオレフィンおよび少なくとも一つの脂肪族オレフィンおよび１またはそれ以上のエチレン性不飽和コモノマーから作られるコポリマーを含んでよい。一般に、コモノマーが存在する場合には、マイナー量、例えばポリオレフィン（例えば、ランダムコポリマーポリプロピレン、すなわちＲＣＰ）の重量に基づき約10％或いはそれ未満、または約5％或いはそれ未満で与えられる。このようなコモノマーは、ポリオレフィンの透明性向上を補佐する機能、または衝撃強度のような他のポリマー特性を向上する機能を発揮し得る。一例としては、25％まで或いはそれ以上のコモノマー（例えば、エチレン）を用いる場合、衝撃強度が劇的に増加する（例えば、プロピレン／エチレンインパクトコポリマー、すなわちＩＣＰ）。他のポリマーまたはラバー（例えば、EPDMまたはEPR）もポリオレフィンと混合してよい。他のコモノマーの例には、アクリル酸および酢酸ビニルなどが含まれる。本発明により透明性と結晶化温度が都合よく向上し得るオレフィンポリマーの例は、２〜約６の炭素原子を有する脂肪族モノオレフィンのポリマーおよびコポリマーであり、これらの平均分子量は約10,000〜約2,000,000、好ましくは約30,000〜約300,000であり、例えば（限定されないが）、ポリエチレン、直鎖低密度ポリエチレン、イソタクト型ポリプロピレン（I-PP）、シンジオタクト型ポリプロピレン（s-PP）結晶性エチレン／プロピレンコポリマー（例えば、RCPおよびICP）、ポリ（1-ブテン）、ポリ（4-メチル）ペンテン、ポリ（1-ヘキセン）、ポリ（1-オクテン）、およびポリ（ビニルシクロヘキセン）である。本発明のポリオレフィンは、例えば従来の低密度ポリエチレン（LDPE）に見られるような、場合により側鎖を有する、基本的に直鎖状の通常のポリマーで表されてよい。ポリオレフィンが好ましい熱可塑性樹脂ではあるが、本発明の核形成剤はポリオレフィンには限定されず、ポリエステル、例えばポリエチレンテレフタレート（PET）、ポリブチレンテレフタレート（PBT）およびポリエチレンナフタレート（PEN）、ポリアミド、例えばナイロン６、ナイロン6,6その他に対しても有利な核形成特性を与え得る。一般に、ある程度の結晶量を有する熱可塑性樹脂組成物であれば、本発明の核形成剤／酸捕捉剤組成物を用いて改良され得る。
【手続補正４】
【補正対象書類名】明細書
【補正対象項目名】００３１
【補正方法】変更
【補正の内容】
【００３１】
本発明の好ましい態様を次に示す。
１．少なくとも一つの酸捕捉剤化合物および式（Ｉ）：
【化１】
2004524417.tif 000002
［式中、Ｍ１およびＭ２は、それぞれナトリウムおよび水素よりなる群から選ばれ、ここでＭ１およびＭ２のうち少なくとも一つはナトリウムであり、Ｒ１、Ｒ２、Ｒ３、Ｒ４、Ｒ５、Ｒ６、Ｒ７、Ｒ８、Ｒ９、およびＲ１０は、それぞれ水素、Ｃ１−Ｃ９アルキル、水酸基、Ｃ１−Ｃ９アルコキシ、Ｃ１−Ｃ９アルキレンオキシ、アミン、Ｃ１−Ｃ９アルキルアミン、ハロゲン、およびフェニルよりなる群から選択される；ここで、これらの基がアルキル基である場合、任意に２つ隣接しまたはジェミナルなアルキル基が結合して炭素原子数６個までの炭素環を形成してよい；ここで、酸捕捉剤は、式（Ｉ）の構造に従う少なくとも一つ以外の化合物である。］
の構造に従う少なくとも一つの金属塩を含んでなる組成物。
２．Ｒ１、Ｒ２、Ｒ３、Ｒ４、Ｒ５、Ｒ６、Ｒ７、Ｒ８、Ｒ９、およびＲ１０がそれぞれ水素であり、酸捕捉剤がカルボン酸塩、ジヒドロタルサイト、およびこれらの任意の混合物よりなる群から選ばれる少なくとも一つの化合物である前記第１に記載の組成物。
３．酸捕捉剤が少なくとも一つのＣ１２−Ｃ２４カルボン酸塩である前記第２に記載の組成物。
４．カルボン酸塩がナトリウム、リチウム、カルシウム、および亜鉛よりなる群から選ばれる前記第３に記載の組成物。
５．塩がステアリン酸カルシウムである前記第４に記載の組成物。
６．化合物がヘキサヒドロフタル酸シス−２ナトリウムである前記第１に記載の組成物。
７．化合物がヘキサヒドロフタル酸シス−２ナトリウムである前記第２に記載の組成物。
８．化合物がヘキサヒドロフタル酸シス−２ナトリウムである前記第３に記載の組成物。
９．化合物がヘキサヒドロフタル酸シス−２ナトリウムである前記第４に記載の組成物。
１０．化合物がヘキサヒドロフタル酸シス−２ナトリウムである前記第５に記載の組成物。
１１．前記第１に記載の組成物を含んでなる熱可塑性樹脂製品。
１２．前記第２に記載の組成物を含んでなる熱可塑性樹脂製品。
１３．前記第３に記載の組成物を含んでなる熱可塑性樹脂製品。
１４．前記第４に記載の組成物を含んでなる熱可塑性樹脂製品。
１５．前記第５に記載の組成物を含んでなる熱可塑性樹脂製品。
１６．前記第６に記載の組成物を含んでなる熱可塑性樹脂製品。
１７．前記第７に記載の組成物を含んでなる熱可塑性樹脂製品。
１８．前記第８に記載の組成物を含んでなる熱可塑性樹脂製品。
１９．前記第９に記載の組成物を含んでなる熱可塑性樹脂製品。
２０．前記第１０に記載の組成物を含んでなる熱可塑性樹脂製品。
２１．ポリマーがポリプロピレンを含んでなる前記第１１に記載の熱可塑性樹脂製品。
２２．ポリマーがポリプロピレンを含んでなる前記第１５に記載の熱可塑性樹脂製品。
２３．ポリマーがポリプロピレンを含んでなる前記第２０に記載の熱可塑性樹脂製品。
２４．前記第１に記載された組成物を少なくとも一つ含んでなるポリマー添加剤処方であって、添加剤組成物が粉末、ペレット、または液体よりなる群から選ばれる形態で存在し、該組成物が少なくとも一つの熱可塑性ポリマー、および、場合により、可塑剤、酸捕捉剤、酸化防止剤、抗菌剤、難燃剤、光安定剤、帯電防止剤、発泡剤、有色顔料、およびこれらの任意の組み合わせよりなる群から選ばれる少なくとも一つの化合物を更に含むポリマー添加剤処方。
２５．前記第５に記載された組成物を少なくとも一つ含んでなるポリマー添加剤処方であって、添加剤組成物が粉末、ペレット、または液体よりなる群から選ばれる形態で存在し、該組成物が少なくとも一つの熱可塑性ポリマー、および、場合により、可塑剤、酸捕捉剤、酸化防止剤、抗菌剤、難燃剤、光安定剤、帯電防止剤、発泡剤、有色顔料、およびこれらの任意の組み合わせよりなる群から選ばれる少なくとも一つの化合物を更に含むポリマー添加剤処方。
２６．前記第１０に記載された組成物を少なくとも一つ含んでなるポリマー添加剤処方であって、添加剤組成物が粉末、ペレット、または液体よりなる群から選ばれる形態で存在し、該組成物が少なくとも一つの熱可塑性ポリマー、および、場合により、可塑剤、酸捕捉剤、酸化防止剤、抗菌剤、難燃剤、光安定剤、帯電防止剤、発泡剤、有色顔料、およびこれらの任意の組み合わせよりなる群から選ばれる少なくとも一つの化合物を更に含むポリマー添加剤処方。
本発明を詳述したが、当業者が本発明の範囲を逸脱することなく、これに変形や修正を加え得ることは明らかである。よって、本発明の範囲は添付した特許請求の範囲によってのみ決定されるべきである。